(57)【要約】【課題】枚数指定による入金処理を可能にする。【解決手段】入金する現金の金種別枚数及び合計枚数のいずれか一方又は双方を指定枚数として指定する入金処理の指示が入力可能な入力部３０と、現金を鑑別する鑑別部４３，５３と、入金口４１，５１にセットされた現金を鑑別部へ搬送し、さらに、鑑別部によって鑑別された入金可能な現金を金庫４６，５６へ搬送するとともに、鑑別部によって鑑別された入金不能な現金をリジェクト部４７，５７へ搬送する搬送部４２，５２と、入力部によって指定された指定枚数に基づいて入金処理を行う場合に、搬送部及び鑑別部に対して入金処理の開始指示を出力して入金処理を実行し、その後、鑑別部によって鑑別された入金可能な現金の枚数が指定枚数に達した時点、又は、入金口にセットされた現金がなくなった時点で、搬送部及び鑑別部に対して入金処理の停止指示を出力する制御部１０とを有する。【選択図】図１Ａ
2011238051.tif 000002
【特許請求の範囲】
【請求項１】
入金機能を有する現金処理装置において、
入金する現金の金種別枚数及び合計枚数のいずれか一方又は双方を指定枚数として指定する入金処理の指示が入力可能な入力部と、
現金がセットされる入金口と、
現金を鑑別する鑑別部と、
入金可能な現金を収納する金庫と、
入金不能な現金を集積するリジェクト部と、
前記入金口にセットされた現金を前記鑑別部へ搬送し、さらに、前記鑑別部によって鑑別された入金可能な現金を前記金庫へ搬送するとともに、前記鑑別部によって鑑別された入金不能な現金を前記リジェクト部へ搬送する搬送部と、
前記入力部によって指定された前記指定枚数に基づいて入金処理を行う場合に、前記搬送部及び前記鑑別部に対して入金処理の開始指示を出力して入金処理を実行し、その後、前記鑑別部によって鑑別された入金可能な現金の枚数が前記指定枚数に達した時点、又は、前記入金口にセットされた現金がなくなった時点で、前記搬送部及び前記鑑別部に対して入金処理の停止指示を出力する制御部とを有する
ことを特徴とする現金処理装置。
【請求項２】
請求項１に記載の現金処理装置において、
前記制御部は、前記指定枚数として、１乃至複数種類の前記金種別枚数及び前記合計枚数が指定された場合で、かつ、すべての前記金種別枚数の合計が前記合計枚数を超える場合に、前記入金処理を実行せずに、前記入力部に、前記金種別枚数及び前記合計枚数の再指定を行わせる
ことを特徴とする現金処理装置。
【請求項３】
請求項１又は請求項２に記載の現金処理装置において、
前記制御部は、
前記指定枚数として、１乃至複数種類の前記金種別枚数のみが指定されている場合に、
前記指定枚数が指定された金種を指定金種とし、一方、前記指定枚数が指定されていない金種を指定外金種とするとともに、前記鑑別部によって鑑別された枚数が前記指定枚数に達していない指定金種の入金可能な現金を入金用現金として認識し、一方、当該指定外金種の現金、前記鑑別部によって鑑別された入金不能な現金及び前記鑑別部によって鑑別された枚数が前記指定枚数に達している指定金種の入金可能な現金をリジェクト用現金として認識し、
さらに、前記入金用現金として認識されたすべての前記指定金種の入金可能な現金の枚数が前記指定枚数として指定された前記金種別枚数に達した時点で、前記搬送部及び前記鑑別部に対して入金処理の停止指示を出力する
ことを特徴とする現金処理装置。
【請求項４】
請求項１乃至請求項３のいずれか一項に記載の現金処理装置において、
前記制御部は、前記指定枚数として、前記合計枚数のみが指定されている場合に、
前記鑑別部によって鑑別されたすべての金種の入金可能な現金を入金用現金として認識し、一方、前記鑑別部によって鑑別された入金不能な現金をリジェクト用現金として認識し、
さらに、前記入金用現金として認識された入金可能な現金の枚数が前記指定枚数として指定された前記合計枚数に達した時点で、前記搬送部及び前記鑑別部に対して入金処理の停止指示を出力する
ことを特徴とする現金処理装置。
【請求項５】
請求項１乃至請求項４のいずれか一項に記載の現金処理装置において、
前記制御部は、
前記指定枚数として、１乃至複数種類の前記金種別枚数及び前記合計枚数の双方が指定されている場合に、
前記指定枚数が指定された金種を指定金種とし、一方、前記指定枚数が指定されていない金種を指定外金種とするとともに、前記鑑別部によって鑑別された枚数が前記指定枚数に達していない指定金種の入金可能な現金及び当該指定外金種の現金を入金用現金として認識し、一方、前記鑑別部によって鑑別された入金不能な現金及び前記鑑別部によって鑑別された枚数が前記指定枚数に達している指定金種の入金可能な現金を前記リジェクト用現金として認識し、
さらに、前記入金用現金として認識された入金可能な現金の合計枚数が前記指定枚数として指定された前記合計枚数に達した時点で、前記搬送部及び前記鑑別部に対して入金処理の停止指示を出力する
ことを特徴とする現金処理装置。
【請求項６】
請求項５に記載の現金処理装置において、
前記制御部は、
前記入金用現金として認識された入金可能な現金の合計枚数が前記指定枚数として指定された前記合計枚数に達した場合であっても、前記指定枚数として指定された前記金種別枚数に不足している指定金種がある場合に、
前記入金処理の停止指示を出力せずに、前記搬送部に、前記指定外金種の現金を前記金庫から前記リジェクト部へ搬送させて、不足している指定金種がなくなるまで、又は、前記入金口にセットされた現金がなくなるまで、前記入金処理の実行を続行する
ことを特徴とする現金処理装置。
【請求項７】
請求項１乃至請求項６のいずれか一項に記載の現金処理装置において、
さらに、入金用現金を一時的に集積する一時集積部を有しており、
前記制御部は、
前記搬送部に、前記入金用現金として認識された入金可能な現金を、前記一時集積部へ搬送させて集積させた後、所定のタイミングで、当該現金を前記一時集積部から前記金庫へ搬送させる
ことを特徴とする現金処理装置。
【発明の詳細な説明】
【技術分野】
【０００１】
本発明は、入金機能を有する現金処理装置に関する。
【背景技術】
【０００２】
入金機能を有する現金処理装置としては、例えば、銀行や信用金庫等の金融機関に設置されている、窓口端末装置や、自動取引装置（ＡＴＭ）等がある。なお、現金処理装置は、入金機能以外に、出金機能や、振込機能、両替機能等の様々な機能が付加されている場合が多い。
【０００３】
現金処理装置は、一般に、入金処理を行う場合に、入金額を指定することができる。現金処理装置は、入金額を指定する入金処理（以下、「金額指定による入金処理」と称する）を行う場合に、入金口にセットされたすべての現金を鑑別部で一旦鑑別しながら計数して入金し、その後、入金された現金の中から指定された入金額を超える余剰分の現金を釣銭として返却する構成となっている（例えば、特許文献１参照）。
【先行技術文献】
【特許文献】
【０００４】
【特許文献１】特開平９−３５１３１号公報
【発明の概要】
【発明が解決しようとする課題】
【０００５】
しかしながら、従来の現金処理装置は、以下に説明するように、手数料ができるだけ小額（好ましくは、無料）になるように入金枚数を調整することができない、という課題があった。
【０００６】
すなわち、各金融機関は、顧客が大量の現金（特に、硬貨）を入金する場合に、現金の仕分けや計数等の処理が必要となるため、多大な手間を要する。そこで、各金融機関は、顧客が大量の現金（特に、硬貨）を入金する場合（ただし、硬貨と紙幣とを混在させて入金する場合もある）に、いわゆる「大量硬貨入金手数料」と称される、各金融機関が現金の枚数に応じて独自に設定した手数料（図７参照）を顧客に支払わせている。これにより、各金融機関は、顧客が大量の現金（特に、硬貨）を一度に持ち込まないように仕向け、もって、大量の現金（特に、硬貨）を取り扱うことによる手間を軽減している。
【０００７】
なお、図７は、現金の枚数と手数料との関係を示す図である。図７は、現金の枚数に応じて設定された手数料の一例を示している。ただし、金額は、各金融機関によって異なる。手数料は、硬貨の場合だけでなく、硬貨と紙幣とが混在する場合にも適用されることがある。
【０００８】
この手数料について、金融機関の顧客からは、できるだけ小額（好ましくは、無料）になるようにすることが望まれていた。特に、金融機関の顧客からは、たとえ顧客が持ち込んだ現金の枚数が分からない場合であっても、自動的に、手数料ができるだけ小額（好ましくは、無料）になる上限枚数の範囲内で入金できることが望まれていた。
【０００９】
しかしながら、従来の現金処理装置は、金額指定による入金処理を行う機能しか有していないため、手数料ができるだけ小額（好ましくは、無料）になるように入金枚数を調整することができなかった。
【００１０】
本発明は、前記した課題を解決するためになされたものであり、枚数指定による入金処理が可能な現金処理装置を提供することを主な目的とする。
【課題を解決するための手段】
【００１１】
前記目的を達成するため、本発明は、入金機能を有する現金処理装置であって、入金する現金の金種別枚数及び合計枚数のいずれか一方又は双方を指定枚数として指定する入金処理の指示が入力可能な入力部と、現金がセットされる入金口と、現金を鑑別する鑑別部と、入金可能な現金を収納する金庫と、入金不能な現金を集積するリジェクト部と、前記入金口にセットされた現金を前記鑑別部へ搬送し、さらに、前記鑑別部によって鑑別された入金可能な現金を前記金庫へ搬送するとともに、前記鑑別部によって鑑別された入金不能な現金を前記リジェクト部へ搬送する搬送部と、前記入力部によって指定された前記指定枚数に基づいて入金処理を行う場合に、前記搬送部及び前記鑑別部に対して入金処理の開始指示を出力して入金処理を実行し、その後、前記鑑別部によって鑑別された入金可能な現金の枚数が前記指定枚数に達した時点、又は、前記入金口にセットされた現金がなくなった時点で、前記搬送部及び前記鑑別部に対して入金処理の停止指示を出力する制御部とを有する構成とする。
【００１２】
この現金処理装置は、枚数指定による入金処理が可能な構成となっている。そのため、この現金処理装置は、入金枚数を調整することができる。しかも、この現金処理装置は、鑑別部によって鑑別された入金可能な現金の枚数が指定枚数に達した時点で、又は、入金口にセットされた現金がなくなった時点で、入金処理を停止するため、無駄な計数しない。そのため、この現金処理装置は、手数料ができるだけ小額になるように入金枚数を指定（調整）することができる。
【発明の効果】
【００１３】
本発明によれば、枚数指定による入金処理が可能な現金処理装置を提供することができる。
【図面の簡単な説明】
【００１４】
【図１Ａ】本発明に係る現金処理装置の構成を示す図である。
【図１Ｂ】本発明に係る現金処理装置の他の構成を示す図である。
【図２】本発明に係る現金処理装置の各部の配置関係を示す図である。
【図３Ａ】本発明に係る現金処理装置の枚数指定例を示す図（１）である。
【図３Ｂ】本発明に係る現金処理装置の枚数指定例を示す図（２）である。
【図３Ｃ】本発明に係る現金処理装置の枚数指定例を示す図（３）である。
【図４】実施形態１に係る現金処理装置の全体動作を示すフローチャートである。
【図５Ａ】実施形態１に係る現金処理装置のパターン１の入金処理時の動作を示すフローチャートである。
【図５Ｂ】実施形態１に係る現金処理装置のパターン２の入金処理時の動作を示すフローチャートである。
【図５Ｃ】実施形態１に係る現金処理装置のパターン３の入金処理時の動作を示すフローチャートである。
【図６】実施形態２に係る現金処理装置のパターン３の入金処理時の動作を示すフローチャートである。
【図７】現金の枚数と手数料との関係を示す図である。
【発明を実施するための形態】
【００１５】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１６】
なお、本実施形態に係る現金処理装置は、以下の点が考慮された構成となっている。
すなわち、従来の現金処理装置は、入金時に、どの金種の現金から装置内に取り込まれるのかが分からない。そのため、従来の現金処理装置は、基本的に、入金口にセットされたすべての現金を鑑別部で一旦鑑別しながら計数して入金し、その後、入金された現金の中から余剰分の現金を釣銭として返却する。したがって、従来の現金処理装置は、実際の処理枚数が顧客によって指定された手数料の上限枚数を著しく超過しているにも関わらず、最終的な入金枚数が上限枚数を下回る場合がある。この場合に、各金融機関は、上限枚数の範囲内の手数料しか顧客から取れないため、無駄な処理を行っている。
そこで、本実施形態に係る現金処理装置は、入金処理時に、入金処理の終了条件として後記する条件（ａ）〜条件（ｃ）を適用することによって、従来の現金処理装置よりも無駄な処理を行う頻度を低減する構成となっている。
【００１７】
［実施形態１］
＜現金処理装置の構成＞
本実施形態１に係る現金処理装置１（図１Ａ参照）は、従来の現金処理装置と同様に、金額指定による入金処理を行う機能を有している。ただし、現金処理装置１は、従来の現金処理装置と異なり、入金枚数を指定する入金処理（以下、「枚数指定による入金処理」と称する）を行う機能も有している。
【００１８】
以下、図１Ａを参照して、本実施形態１に係る現金処理装置の構成につき説明する。なお、図１Ａは、本実施形態１に係る現金処理装置の構成を示す図である。ここでは、本実施形態１に係る現金処理装置１が、金融機関の窓口に設置される窓口端末装置として構成されているものとして説明する。したがって、ここでは、行員が、現金処理装置１のオペレータとなり、現金処理装置１を操作するものとして説明する。また、ここでは、紙幣と硬貨とを合わせて「現金」と称する。
【００１９】
図１Ａに示すように、現金処理装置１は、制御部１０、表示部２０、入力部３０、紙幣部４０、及び、硬貨部５０を有している。
【００２０】
制御部１０は、現金処理装置１の各部の動作を制御する機能手段である。制御部１０は、演算手段としてのＣＰＵ、及び、記憶手段としてのＲＡＭやＲＯＭ等によって構成されている。制御部１０は、表示部２０や、入力部３０、紙幣部４０、硬貨部５０等の各部と信号線によって接続されている。制御部１０は、信号線を介して、各部から各種の情報を取得したり、各部に制御信号（指示）を出力したりすることにより、各部の動作を制御する。
【００２１】
制御部１０は、現金の枚数を記憶するカウンタ１５を備えている。そのカウンタ１５は、入金用現金として装置内に取り込まれた現金の金種別枚数を記憶する金種別カウンタ１５ａ、及び、入金用現金として装置内に取り込まれた現金の合計枚数を記憶する合計カウンタ１５ｂとして機能する。
【００２２】
表示部２０は、各種の情報を表示する構成要素である。表示部２０は、ディスプレイやインジケータ等によって構成されている。表示部２０は、例えば、入力時に、制御部１０からの指示に応じて、入力部３０によって指定された金種（以下、「指定金種」と称する）及び枚数（以下、「指定枚数」と称する）、実際に入金された現金の金種及び枚数、並びに、合計金額等を表示する。
【００２３】
入力部３０は、各種の情報を入力する構成要素である。入力部３０は、例えば、キーボードや、マウス、タッチパネル等によって構成されている。入力部３０は、入金枚数を指定する入金処理の指示が入力可能な構成となっている。入力部３０は、入金する現金の金種別枚数及び合計枚数のいずれか一方又は双方を指定枚数として指定することができる。
【００２４】
紙幣部４０は、紙幣を取り扱う構成要素である。紙幣部４０は、紙幣用の入金口４１、搬送部４２、鑑別部４３、一時集積部４４、出金口４５、金種別カセット４６、及び、リジェクト部４７を備えている。
【００２５】
各部は、例えば、図２に示すように配置されている。なお、図２は、本発明に係る現金処理装置の各部の配置関係を示す図である。
入金口４１は、入金する現金がセットされる部位である。
【００２６】
搬送部４２は、現金を各部に搬送する構成要素である。
搬送部４２は、例えば、入金時に、入金口４１にセットされた現金を鑑別部４３へ搬送する。そして、搬送部４２は、現金が鑑別部４３によって入金可能な正常券として鑑別された場合に、その現金（以下、他の現金と区別する場合に「入金用現金」と称する）を一時集積部４４に一旦搬送し、一時集積部４４に集積させる。その後、搬送部４２は、所定のタイミングで（例えば、取引が確定したときに）、入金用現金を、一時集積部４４から、対応する金種の金種別カセット４６に搬送し、金種別カセット４６の内部に収納させる。
一方、搬送部４２は、現金が鑑別部４３によって入金不能な損券として鑑別された場合に、その現金（以下、他の現金と区別する場合に「リジェクト用現金」と称する）をリジェクト部４７に一旦搬送し、リジェクト部４７に集積させる。その後、搬送部４２は、所定のタイミングで（例えば、入金用現金が指定枚数に達したときや、入金口４１にセットされた現金がなくなったときに）、リジェクト用現金を、リジェクト部４７から出金口４５に搬送し、出金口４５から放出させる。
また、搬送部４２は、例えば、出金時に、出金用現金を金種別カセット４６から出金口４５に搬送する。
【００２７】
鑑別部４３は、現金の真贋や金種等を鑑別する構成要素である。
一時集積部４４は、取引（ここでは、入金処理）が確定するまでの間、鑑別部１６で正常券（入金用現金）として鑑別された現金を一時保管する部位である。
出金口４５は、出金用現金やリジェクト用現金が放出される部位である。なお、出金口４５は、入金口４１と一つに統合された構成となっていてもよい。
【００２８】
金種別カセット（以下、「金庫」と称する）４６は、鑑別部４３によって入金可能と鑑別された入金用現金が収納される構成要素である。
リジェクト部４７は、リジェクト用現金（入金不能な現金）が集積される部位である。リジェクト部４７に集積されたリジェクト用現金は、所定のタイミングで、搬送部４２によって、リジェクト部４７から出金口４５に搬送され、出金口４５から装置外に放出される。なお、リジェクト部４７は、出金口４５と一つに統合された構成となっていてもよい。
【００２９】
硬貨部５０は、硬貨を取り扱う構成要素である。硬貨部５０は、硬貨用の入金口５１、搬送部５２、鑑別部５３、一時集積部５４、出金口５５、金種別カセット（金庫）５６、及び、リジェクト部５７を備えている。これらは、紙幣部４０の各部と同様の構成要素であるので、ここでは、詳細な説明を省略する。
【００３０】
現金処理装置１は、例えば、図１Ｂに示すように、紙幣部４０がサブ制御部４０ａを備えるとともに、硬貨部５０がサブ制御部５０ａを備える構成としてもよい。なお、図１Ｂは、本発明に係る現金処理装置の他の構成を示す図である。サブ制御部４０ａは、例えば、紙幣部４０の搬送部４２の搬送動作や搬送先切替動作等を制御する機能手段である。同様に、サブ制御部５０ａは、例えば、硬貨部５０の搬送部５２の搬送動作や搬送先切替動作等を制御する機能手段である。
【００３１】
＜現金処理装置の動作＞
現金処理装置１は、前記した通り、枚数指定による入金処理を行う機能を有している。枚数の指定は、主に、３つのパターンがある。パターン１は、図３Ａに示すように、金種別枚数のみが指定されるパターンである。パターン２は、図３Ｂに示すように、合計枚数のみが指定されるパターンである。パターン３は、図３Ｃに示すように、金種別枚数及び合計枚数の双方が指定されるパターンである。現金処理装置１は、枚数指定による入金処理を行う場合に、これら３つのパターンに応じて、特徴的な動作を行う。
【００３２】
なお、図３Ａ〜図３Ｃは、それぞれ、本発明に係る現金処理装置の枚数指定例を示す図である。図３Ａ〜図３Ｃは、それぞれ、オペレータが、入力部３０を操作して、表示部２０に表示された入金枚数入力用の画面（以下、「枚数入力画面２１」と称する）の任意の金額欄に、所望の入金枚数を指定（入力）する場合の例を示している。図３Ａ〜図３Ｃ中、二重線で区画されたエリアは、オペレータによって入金枚数が指定（入力）されたエリア（以下、「指定エリア」と称する）となっている。
【００３３】
図３Ａ〜図３Ｃに示す例では、枚数入力画面２１には、「入力内容クリア」ボタン２１ａ、「入金処理中止」ボタン２１ｂ、及び、「入金処理開始」ボタン２１ｃが設けられている。現金処理装置１は、オペレータが「入力内容クリア」ボタン２１ａを選択した場合に、入力された内容をクリア（消去）する。また、現金処理装置１は、オペレータが「入金処理中止」ボタン２１ｂを選択した場合に、入金処理を中止する。また、現金処理装置１は、オペレータが「入金処理開始」ボタン２１ｃを選択した場合に、入金処理を開始する。
【００３４】
以下、現金処理装置１の枚数指定による入金処理時の動作につき、動作の概要、全体動作、パターン１の入金処理時の動作、パターン２の入金処理時の動作、及び、パターン３の入金処理時の動作の順に説明する。
【００３５】
（動作の概要）
まず、動作の概要につき説明する。動作の概要は、以下の通りである。
【００３６】
（１）現金処理装置１は、電源が投入されることにより、動作を開始する。すると、現金処理装置１は、オペレータの操作待ちの状態となる。
【００３７】
（２）オペレータは、紙幣部４０の入金口４１及び硬貨部５０の入金口５１のいずれか一方又は双方に現金（ただし、異物が混じっている場合もある）をセットし、入力部３０を操作して、入金したい現金の金種毎に枚数を指定（入力）し、さらに、入金処理開始の指示を入力する。入力部３０は、情報が入力される都度、入力情報を制御部１０に出力する。制御部１０は、入力情報に対して各種の判断を行い、表示の必要な情報があれば、その都度、表示部２０に表示させる。
【００３８】
（３）制御部１０は、入力部３０から入金処理開始の指示が入力されると、入金処理開始の指示を紙幣部４０及び硬貨部５０に出力する。すると、搬送部４２，５２が、それぞれ、制御部１０からの指示に応じて、入金口４１，５１にセットされた物品を装置内に取り込み、鑑別部４３，５３に搬送する。鑑別部４３，５３は、それぞれ、各物品に対して、物品が現金であるか否か及び物品が現金である場合の金種を鑑別して、鑑別結果として金種情報を制御部１０に出力する。
【００３９】
制御部１０は、鑑別部４３，５３から金種情報が入力されると、カウンタ１５（金種別カウンタ１５ａ及び合計カウンタ１５ｂ）を参照して、鑑別部４３，５３からの金種情報及びそれまでに鑑別された現金の枚数（カウンタ１５によってカウントされた現金の枚数）に応じて、物品毎に、物品の搬送先を金庫４６，５６及びリジェクト部４７，５７のいずれか一方に決定する。
【００４０】
このとき、制御部１０は、装置内に取り込まれた物品が現金でない場合に、物品の搬送先をリジェクト部４７，５７に決定する。また、制御部１０は、装置内に取り込まれた物品が指定金種の現金であり、かつ、カウンタ１５によってカウントされた現金の枚数が指定枚数に達している場合に、物品（現金）の搬送先をリジェクト部４７，５７に決定する。また、制御部１０は、装置内に取り込まれた物品がそのいずれでもない場合に、物品（現金）の搬送先を金庫４６，５６に決定する。
【００４１】
そして、制御部１０は、搬送先を指定する指示（以下、「搬送先の指定指示」と称する）を紙幣部４０及び硬貨部５０に出力する。すると、搬送部４２，５２が、それぞれ、制御部１０からの搬送先の指定指示に応じて、現金毎に、搬送方向を金庫４６，５６方向又はリジェクト部４７，５７方向に切り替え、各現金を金庫４６，５６又はリジェクト部４７，５７に搬送する。このとき、制御部１０は、金庫４６，５６に搬送された現金の枚数に応じて、カウンタ１５の値を更新する。
【００４２】
（４）制御部１０は、以下の条件（ａ）〜条件（ｃ）を入金処理の終了条件として、入金処理を終了する。
条件（ａ）：紙幣部４０の入金口４１及び硬貨部５０の入金口５１の双方にセットされた現金がなくなる。
条件（ｂ）：金種別カウンタ１５ａによってカウントされているすべての指定金種の現金の枚数が指定枚数に達する。
条件（ｃ）：合計カウンタ１５ｂによってカウントされている現金の合計枚数が指定枚数に達する。
【００４３】
なお、条件（ａ）では、紙幣部４０の入金口４１にセットされた紙幣だけがなくなり、硬貨部５０の入金口５１にセットされた硬貨が残っている場合に、現金処理装置１は、紙幣部４０の入金処理を終了し、硬貨部５０の入金処理を継続する。逆に、硬貨部５０の入金口５１にセットされた硬貨だけがなくなり、紙幣部４０の入金口４１にセットされた紙幣が残っている場合に、現金処理装置１は、硬貨部５０の入金処理を終了し、紙幣部４０の入金処理を継続する。
【００４４】
また、条件（ｂ）では、紙幣部４０のみ、指定枚数の入金処理が完了した場合に、現金処理装置１は、紙幣部４０の入金処理を終了し、硬貨部５０の入金処理を継続する。逆に、硬貨部５０のみ、指定枚数の入金処理が完了した場合に、現金処理装置１は、硬貨部５０の入金処理を終了し、紙幣部４０の入金処理を継続する。
【００４５】
（５）制御部１０は、入金処理を終了する場合に、入金結果を表示部２０に表示させる。この後、現金処理装置１は、オペレータの操作待ちの状態になる。
図４及び図５Ａ〜図５Ｃは、以上の動作の具体的な処理フローを示している。
【００４６】
（全体動作）
以下、図４を参照して、現金処理装置１の全体動作につき説明する。なお、図４は、実施形態１に係る現金処理装置の全体動作を示すフローチャートである。
【００４７】
ここでは、現金処理装置１が図１Ａに示す構成になっているものとして説明する。なお、現金処理装置１は、図示せぬタイマによって計測された時間に基づいて動作する。また、現金処理装置１の動作は、図示せぬ記憶手段のＲＯＭに読み出し自在に予め格納されたプログラムによって規定されており、制御部１０によって実現する。以下、これらの点については、情報処理では常套手段であるので、その詳細な説明を省略する。
【００４８】
現金処理装置１は、電源が投入されることにより、動作を開始する。
すると、図４に示すように、現金処理装置１は、オペレータの操作待ちの状態となる（Ｓ１０５）。
【００４９】
ここでは、オペレータ（ここでは、行員）が、現金処理装置１の入力部３０を操作して、入金や出金、振込等の各処理機能の中から入金処理を選択し、さらに、入金方法として金額指定による入金処理又は枚数指定による入金処理の中から枚数指定による入金処理を選択するものとする。現金処理装置１は、この操作に応答して、枚数入力画面２１（図３Ａ〜図３Ｃ参照）を表示部２０に表示する。
【００５０】
オペレータは、枚数入力画面２１が表示部２０に表示されると、入金する現金（ただし、異物が混じっている場合もある）を紙幣部４０の入金口４１及び硬貨部５０の入金口５１のいずれか一方又は双方にセットする。
【００５１】
この後、オペレータは、入力部３０を操作して、入金する現金の金種別枚数及び合計枚数のいずれか一方又は双方を指定枚数として指定する。すなわち、オペレータは、図３Ａ〜図３Ｃに示すパターン１〜３の中のいずれか１つのパターンに相当する指定枚数を現金処理装置１に入力する。
【００５２】
そして、オペレータは、入力部３０を操作して、入金処理開始の指示を現金処理装置１に入力する。ここでは、入金処理開始の指示は、オペレータが図３Ａ〜図３Ｃに示す「入金処理開始」ボタン２１ｃを選択することによって、行われるものとする。
【００５３】
入力部３０は、指定枚数を含む各種の情報が入力されると、その都度、入力された情報を制御部１０に出力する。制御部１０は、入力部３０から何らかの情報が入力されると、入力された情報が入金処理開始の指示であるのか否かを判定する（Ｓ１１０）。
【００５４】
Ｓ１１０の判定で、入力された情報が入金処理開始の指示でないと判定された場合（“Ｎｏ”の場合）に、制御部１０は、入力された情報が入金処理中止の指示であるのか否かを判定する（Ｓ１１１）。Ｓ１１１の判定で、入力された情報が入金処理中止の指示であると判定された場合（“Ｙｅｓ”の場合）に、処理は終了し、一方、入力された情報が入金処理中止の指示でないと判定された場合（“Ｎｏ”の場合）に、処理はＳ１０５に戻る。
【００５５】
一方、Ｓ１１０の判定で、入力された情報が入金処理開始の指示であると判定された場合（“Ｙｅｓ”の場合）に、制御部１０は、オペレータによって指定されたパターン（以下、「指定パターン」と称する）がパターン１〜３（図３Ａ〜図３Ｃ参照）の中のどのパターンかを判定する（Ｓ１１５）。
【００５６】
Ｓ１１５の判定で、指定パターンがパターン１（金種別枚数のみ指定されているパターン）と判定された場合に、制御部１０は、パターン１の入金処理（図５Ａ参照）を行う（Ｓ１２０）。パターン１の入金処理については、図５Ａを参照して後記する。
【００５７】
また、Ｓ１１５の判定で、指定パターンがパターン２（合計枚数のみ指定されているパターン）と判定された場合に、制御部１０は、パターン２の入金処理（図５Ｂ参照）を行う（Ｓ１２５）。パターン２の入金処理については、図５Ｂを参照して後記する。
【００５８】
また、Ｓ１１５の判定で、指定パターンがパターン３（金種別枚数及び合計枚数の双方が指定されているパターン）と判定された場合に、制御部１０は、入力チェックを行う（Ｓ１３０）。「入力チェック」は、入力された指定枚数が矛盾するか否かを検証する処理である。「入力チェック」では、制御部１０は、指定枚数として入力されたすべての金種別枚数の合計が指定枚数として入力された合計枚数を超えるか否かを判定し、すべての金種別枚数の合計が合計枚数を超える場合（すなわち、すべての金種別枚数の合計＞合計枚数となる場合）を「矛盾あり」と認識し、すべての金種別枚数の合計が合計枚数を超えない場合を「矛盾なし」と認識する。
【００５９】
制御部１０は、すべての金種別枚数の合計が合計枚数を超える場合（矛盾ありの場合）に、入金処理を実行せずに、入力部３０に、金種別枚数及び合計枚数の再指定を行わせる。一方、制御部１０は、すべての金種別枚数の合計が合計枚数を超えない場合（矛盾なしの場合）に、パターン３の入金処理を行う。そのために、制御部１０は、入力された指定枚数が矛盾なしか否かを判定する（Ｓ１３５）。
【００６０】
Ｓ１３５の判定で、入力された指定枚数が矛盾なしと判定された場合（“Ｙｅｓ”の場合）に、制御部１０は、パターン３の入金処理（図５Ｃ参照）を行う（Ｓ１４０）。パターン３の入金処理については、図５Ｃを参照して後記する。
【００６１】
一方、Ｓ１３５の判定で、入力された指定枚数が矛盾ありと判定された場合（“Ｎｏ”の場合）に、制御部１０は、表示部２０に、入力エラーを表示させる（Ｓ１４５）。この後、処理は、Ｓ１０５に戻る。その結果、現金処理装置１は、Ｓ１０５以降の処理を繰り返す。
【００６２】
Ｓ１２０、Ｓ１２５、及び、Ｓ１４０のいずれかの処理の後、制御部１０は、表示部２０に、入金処理の結果を表示させる（Ｓ１５０）。この後、処理は、Ｓ１０５に戻る。その結果、現金処理装置１は、Ｓ１０５以降の処理を繰り返す。
なお、現金処理装置１は、電源が切断されることにより、一連の動作を終了する。
【００６３】
（パターン１の入金処理時の動作）
現金処理装置１は、パターン１の入金処理時（図４のＳ１２０参照）において、図５Ａに示す処理を行う。以下、図５Ａを参照して、パターン１の入金処理時の動作につき説明する。なお、図５Ａは、実施形態１に係る現金処理装置のパターン１の入金処理時の動作を示すフローチャートである。
【００６４】
図５Ａに示すように、制御部１０は、紙幣部４０の入金口４１及び硬貨部５０の入金口５１のいずれか一方又は双方にセットされた現金（ただし、異物が混じっている場合もある）があるか否かを判定する（Ｓ２０５）。
【００６５】
Ｓ２０５の判定で、入金口４１，５１にセットされた現金がないと判定された場合（“Ｎｏ”の場合）に、制御部１０は、任意の時点（例えば、枚数入力画面２１が表示部２０に表示された時点）から所定時間が経過したか否かを判定する（Ｓ２１０）。Ｓ２１０の判定で、所定時間が経過したと判定された場合（“Ｙｅｓ”の場合）に、制御部１０は、Ｓ１２０のパターン１の入金処理を終了する。一方、Ｓ２１０の判定で、所定時間が経過していないと判定された場合（“Ｎｏ”の場合）に、処理はＳ２０５に戻る。その結果、現金処理装置１は、Ｓ２０５以降の処理を繰り返す。
【００６６】
一方、Ｓ２０５の判定で、入金口４１，５１にセットされた現金があると判定された場合（“Ｙｅｓ”の場合）に、制御部１０は、各部に入金処理の開始指示を出力する。これにより、制御部１０は、搬送部４２，５２に、入金口４１，５１にセットされた物品を入金口４１，５１から装置内に取り込ませ、取り込まれた物品を鑑別部４３，５３へ搬送させる。そして、制御部１０は、鑑別部４３，５３に、取り込まれた物品の金種を判別させる（Ｓ２１５）。
【００６７】
鑑別部４３，５３は、取り込まれた物品が現金であるか否かを判別し、さらに、その金種や、真贋、汚損状態等を鑑別して、鑑別結果として金種情報を制御部１０に出力する。制御部１０は、鑑別部４３，５３から金種情報が入力されると、金種情報に基づいて、取り込まれた物品が入金可能な現金であるか否かを判定する（Ｓ２２０）。
【００６８】
Ｓ２２０の判定で、取り込まれた物品が入金可能な現金であると判定された場合（“Ｙｅｓ”の場合）に、制御部１０は、金種別カウンタ１５ａを参照して、鑑別部４３，５３によって鑑別された金種に対応する金種（以下、「対応金種」と称する）のカウントされた現金の枚数が指定枚数（ここでは、オペレータによって指定枚数として入力された対応金種の金種別枚数）に達しているか否かを判定する（Ｓ２２５）。
【００６９】
一方、Ｓ２２０の判定で、取り込まれた物品が入金可能な現金でないと判定された場合（“Ｎｏ”の場合）に、処理はＳ２３０に進む。
【００７０】
Ｓ２２０の判定で、取り込まれた物品が入金可能な現金でないと判定された場合（“Ｎｏ”の場合）に、制御部１０は、金種情報に基づいて、取り込まれた物品を異物又はリジェクト用現金と見なす。また、Ｓ２２５の判定で、カウントされた対応金種の現金の枚数が指定枚数に達していると判定された場合（“Ｙｅｓ”の場合）に、制御部１０は、取り込まれた物品をリジェクト用現金と見なす。そして、制御部１０は、搬送部４２，５２に、取り込まれた物品をリジェクト部４７，５７へ搬送させる（Ｓ２３０）。これにより、取り込まれた物品は、リジェクト部４７，５７に集積される。
【００７１】
一方、Ｓ２２５の判定で、カウントされた対応金種の現金の枚数が指定枚数に達していないと判定された場合（“Ｎｏ”の場合）に、制御部１０は、取り込まれた物品を入金用現金と見なす。そして、制御部１０は、搬送部４２，５２に、取り込まれた物品を対応金種の金庫４６，５６へ搬送させるとともに、対応金種の金種別カウンタ１５ａの値を１つ加算（アップ）する（Ｓ２３５）。これにより、取り込まれた物品（現金）は、対応金種の金庫４６，５６に収納される。なお、このとき、制御部１０は、合計カウンタ１５ｂの値を１つ加算するようにしてもよい。
【００７２】
Ｓ２３０又はＳ２３５の後、制御部１０は、金種別カウンタ１５ａを参照して、カウントされたすべての指定金種の現金の枚数が指定枚数（ここでは、オペレータによって指定枚数として入力された各金種別枚数）に達しているか否かを判定する（Ｓ２４０）。
【００７３】
Ｓ２４０の判定で、カウントされたすべての指定金種の現金の枚数が指定枚数に達していると判定された場合（“Ｙｅｓ”の場合）に、制御部１０は、停止指示が必要なユニット（稼動中の指定金種のユニット）に対して、入金処理の停止指示を出力する（Ｓ２４５）。これにより、Ｓ１２０の入金処理が終了する。
【００７４】
一方、Ｓ２４０の判定で、カウントされたすべての指定金種の現金の枚数が指定枚数に達していないと判定された場合（“Ｎｏ”の場合）に、処理はＳ２０５に戻る。その結果、現金処理装置１は、Ｓ２０５以降の処理を繰り返す。なお、入金口４１，５１にセットされた現金がなくなると、Ｓ２０５で“Ｎｏ”と判定され、さらに、Ｓ２１０で“Ｙｅｓ”と判定される。その結果、現金処理装置１は、Ｓ１２０の入金処理を終了する。
【００７５】
この現金処理装置１は、パターン１の入金処理を行う場合に、以下の２つの条件のいずれか一方が満たされたときに、入金処理を終了する。
条件（ａ）：紙幣部４０の入金口４１及び硬貨部５０の入金口５１の双方にセットされた現金がなくなる。
条件（ｂ）：金種別カウンタ１５ａによってカウントされているすべての指定金種の現金の枚数が指定枚数に達する。
【００７６】
すなわち、この現金処理装置１は、パターン１の入金処理を行う場合に、入金口４１及び入金口５１の双方にセットされた現金がなくなった時点、又は、金種別カウンタ１５ａによってカウントされているすべての指定金種の現金の枚数が指定枚数に達した時点で、入金処理を終了する。
【００７７】
その結果、処理枚数に応じて手数料を設定している金融機関は、例えば、顧客から「手数料がかからない枚数の範囲内で入金したい」といった要望があった場合に、この現金処理装置１を以下のように操作することによって、顧客の要望に対応することができる。すなわち、オペレータ（ここでは、行員）は、顧客が持ち込んだ現金を見て、枚数の多そうな金種を判別する。そして、オペレータは、現金処理装置１の入力部３０を操作して、指定金種の指定枚数として、枚数の多そうな金種から優先的に枚数を指定（入力）し、入金処理開始の指示を入力する。これによって、現金処理装置１は、顧客の要望に対応する入金処理を行う。その際に、現金処理装置１は、すべての現金を装置内に一旦取り込む必要がなく、必要最小限の枚数の現金を取り込むだけでよい。したがって、現金処理装置１は、従来の現金処理装置よりも無駄な処理を低減することができる。
【００７８】
（パターン２の入金処理時の動作）
現金処理装置１は、パターン２の入金処理時（図４のＳ１２５参照）において、図５Ｂに示す処理を行う。以下、図５Ｂを参照して、パターン２の入金処理時の動作につき説明する。なお、図５Ｂは、実施形態１に係る現金処理装置のパターン２の入金処理時の動作を示すフローチャートである。
【００７９】
ここでは、パターン１の入金処理時の動作（図５Ａ参照）と相違する動作を重点的に説明し、パターン１の入金処理時の動作と同様の動作については、前記したパターン１の入金処理時の動作をパターン２の入金処理時の動作に読み替えるものとして、詳細な説明を省略する。
【００８０】
図５Ｂに示すように、パターン２の入金処理時の動作は、パターン１の入金処理時の動作（図５Ａ参照）と比較すると、Ｓ２２５、Ｓ２３５、Ｓ２４０、及び、Ｓ２４５の処理の代わりに、Ｓ２２６、Ｓ２３６、Ｓ２４１、及び、Ｓ２４６の処理を行う点で相違する。
【００８１】
すなわち、現金処理装置１は、パターン２の入金処理時に、パターン１の入金処理時と同様に、Ｓ２０５〜Ｓ２２０の処理を行う。そして、Ｓ２２０の判定で、取り込まれた物品が入金可能な現金であると判定された場合（“Ｙｅｓ”の場合）に、制御部１０は、合計カウンタ１５ｂを参照して、カウントされた現金の合計枚数が指定枚数（ここでは、オペレータによって指定枚数として入力された合計枚数）に達しているか否かを判定する（Ｓ２２６）。一方、Ｓ２２０の判定で、取り込まれた物品が入金可能な現金でないと判定された場合（“Ｎｏ”の場合）に、処理はＳ２３０に進む。
【００８２】
Ｓ２２０の判定で、取り込まれた物品が入金可能な現金でないと判定された場合（“Ｎｏ”の場合）に、制御部１０は、金種情報に基づいて、取り込まれた物品を異物又はリジェクト用現金と見なす。また、Ｓ２２６の判定で、カウントされた現金の合計枚数が指定枚数に達していると判定された場合（“Ｙｅｓ”の場合）に、制御部１０は、取り込まれた物品をリジェクト用現金と見なす。そして、制御部１０は、搬送部４２，５２に、取り込まれた物品をリジェクト部４７，５７へ搬送させる（Ｓ２３０）。これにより、取り込まれた物品は、リジェクト部４７，５７に集積される。
【００８３】
一方、Ｓ２２６の判定で、カウントされた現金の合計枚数が指定枚数に達していないと判定された場合（“Ｎｏ”の場合）に、制御部１０は、取り込まれた物品を入金用現金と見なす。そして、制御部１０は、搬送部４２，５２に、取り込まれた物品を対応金種の金庫４６，５６へ搬送させるとともに、合計カウンタ１５ｂの値を１つ加算（アップ）する（Ｓ２３６）。これにより、取り込まれた物品（現金）は、対応金種の金庫４６，５６に収納される。なお、このとき、制御部１０は、対応金種の金種別カウンタ１５ａの値を１つ加算するようにしてもよい。
【００８４】
Ｓ２３０又はＳ２３６の後、制御部１０は、合計カウンタ１５ｂを参照して、カウントされた現金の合計枚数が指定枚数（ここでは、オペレータによって指定枚数として入力された合計枚数）に達しているか否かを判定する（Ｓ２４１）。
【００８５】
Ｓ２４１の判定で、カウントされた現金の合計枚数が指定枚数に達していると判定された場合（“Ｙｅｓ”の場合）に、制御部１０は、全ユニットに対して、入金処理の停止指示を出力する（Ｓ２４６）。これにより、Ｓ１２５の入金処理が終了する。
【００８６】
一方、Ｓ２４１の判定で、カウントされた現金の合計枚数が指定枚数に達していないと判定された場合（“Ｎｏ”の場合）に、処理はＳ２０５に戻る。その結果、現金処理装置１は、Ｓ２０５以降の処理を繰り返す。なお、入金口４１，５１にセットされた現金がなくなると、Ｓ２０５で“Ｎｏ”と判定され、さらに、Ｓ２１０で“Ｙｅｓ”と判定される。その結果、現金処理装置１は、Ｓ１２５の入金処理を終了する。
【００８７】
この現金処理装置１は、パターン２の入金処理を行う場合に、以下の２つの条件のいずれか一方が満たされたときに、入金処理を終了する。
条件（ａ）：紙幣部４０の入金口４１及び硬貨部５０の入金口５１の双方にセットされた現金がなくなる。
条件（ｃ）：合計カウンタ１５ｂによってカウントされている現金の合計枚数が指定枚数に達する。
【００８８】
すなわち、この現金処理装置１は、パターン２の入金処理を行う場合に、入金口４１及び入金口５１の双方にセットされた現金がなくなった時点、又は、合計カウンタ１５ｂによってカウントされている現金の合計枚数が指定枚数に達した時点で、入金処理を終了する。
【００８９】
その結果、処理枚数に応じて手数料を設定している金融機関は、例えば、顧客から「手数料がかからない枚数の範囲内で入金したい」といった要望があった場合に、この現金処理装置１を以下のように操作することによって、顧客の要望に対応することができる。すなわち、オペレータは、現金処理装置１の入力部３０を操作して、合計枚数として、手数料がかからない上限枚数を指定（入力）し、入金処理開始の指示を入力する。これによって、現金処理装置１は、顧客の要望に対応する入金処理を行う。その際に、現金処理装置１は、すべての現金を装置内に一旦取り込む必要がなく、合計枚数として指定された枚数の現金を取り込むだけでよい。したがって、現金処理装置１は、従来の現金処理装置よりも無駄な処理を低減することができる。
【００９０】
（パターン３の入金処理時の動作）
現金処理装置１は、パターン３の入金処理時（図４のＳ１４０参照）において、図５Ｃに示す処理を行う。以下、図５Ｃを参照して、パターン３の入金処理時の動作につき説明する。なお、図５Ｃは、実施形態１に係る現金処理装置のパターン３の入金処理時の動作を示すフローチャートである。
【００９１】
ここでは、パターン１の入金処理時の動作（図５Ａ参照）と相違する動作を重点的に説明し、パターン１の入金処理時の動作と同様の動作については、前記したパターン１の入金処理時の動作をパターン３の入金処理時の動作に読み替えるものとして、詳細な説明を省略する。
【００９２】
なお、図５Ｃに示す例では、現金処理装置１は、指定外金種（オペレータによって指定されていない金種）と判定された現金（Ｓ２２１で“Ｎｏ”と判定された現金）、及び、指定枚数に達していないと判定された指定金種の現金（Ｓ２２５で“Ｎｏ”と判定された現金）を入金する構成となっている。
【００９３】
また、現金処理装置１は、入金する現金の合計枚数が指定枚数に達した場合であっても、枚数の不足している指定金種がある場合に（すなわち、合計カウンタ１５ｂによってカウントされた枚数がオペレータによって指定枚数として入力された合計枚数に達した場合であっても、金種別カウンタ１５ａによってカウントされた枚数が指定枚数に達していない金種がある場合に）、指定外金種の現金を金庫４６，５６（又は、一時集積部４４，５４）からリジェクト部４７，５７に搬送して、その分の指定金種の現金を金庫４６，５６に入金する構成となっている。
【００９４】
図５Ｃに示すように、パターン３の入金処理時の動作は、パターン１の入金処理時の動作（図５Ａ参照）と比較すると、Ｓ２２１の処理を行う点、Ｓ２３５及びＳ２４０の処理の代わりに、Ｓ２３７及びＳ２４１の処理を行う点、並びに、Ｓ２４５の処理の代わりに、Ｓ２４２、Ｓ２４３、Ｓ２４４、及び、Ｓ２４６の処理を行う点で相違する。
【００９５】
すなわち、現金処理装置１は、パターン２の入金処理時に、パターン１の入金処理時と同様に、Ｓ２０５〜Ｓ２２０の処理を行う。そして、Ｓ２２０の判定で、取り込まれた物品が入金可能な現金であると判定された場合（“Ｙｅｓ”の場合）に、制御部１０は、鑑別部４３，５３からの金種情報に基づいて、取り込まれた物品（現金）が指定金種の現金であるか否かを判定する（Ｓ２２１）。
【００９６】
Ｓ２２１の判定で、取り込まれた物品が指定金種の現金であると判定された場合（“Ｙｅｓ”の場合）に、処理はＳ２２５に進む。その結果、制御部１０は、Ｓ２２５で、対応金種の金種別カウンタ１５ａを参照して、カウントされた対応金種の現金の枚数が指定枚数（ここでは、オペレータによって指定枚数として入力された対応金種の金種別枚数）に達しているか否かを判定する。一方、Ｓ２２１の判定で、取り込まれた物品が指定金種の現金でないと判定された場合（“Ｎｏ”の場合）に、処理はＳ２３７に進む。
【００９７】
Ｓ２２０の判定で、取り込まれた物品が入金可能な現金でないと判定された場合（“Ｎｏ”の場合）に、制御部１０は、金種情報に基づいて、取り込まれた物品を異物又はリジェクト用現金と見なす。また、Ｓ２２５の判定で、カウントされた対応金種の現金の枚数が指定枚数に達していると判定された場合（“Ｙｅｓ”の場合）に、制御部１０は、取り込まれた物品をリジェクト用現金と見なす。そして、制御部１０は、搬送部４２，５２に、取り込まれた物品をリジェクト部４７，５７へ搬送させる（Ｓ２３０）。これにより、取り込まれた物品は、リジェクト部４７，５７に集積される。
【００９８】
一方、Ｓ２２１の判定で、取り込まれた物品が指定金種の現金でないと判定された場合（“Ｎｏ”の場合）に、制御部１０は、取り込まれた物品を入金用現金と見なす。また、Ｓ２２５の判定で、カウントされた対応金種の現金の枚数が指定枚数に達していないと判定された場合（“Ｎｏ”の場合）に、制御部１０は、取り込まれた物品を入金用現金と見なす。そして、制御部１０は、搬送部４２，５２に、取り込まれた物品を対応金種の金庫４６，５６へ搬送させるとともに、対応金種の金種別カウンタ１５ａの値及び合計カウンタ１５ｂの値をそれぞれ１つ加算（アップ）する（Ｓ２３７）。これにより、取り込まれた物品（現金）は、対応金種の金庫４６，５６に収納される。
【００９９】
Ｓ２３０又はＳ２３７の後、制御部１０は、合計カウンタ１５ｂを参照して、カウントされた現金の合計枚数が指定枚数（ここでは、オペレータによって指定枚数として入力された合計枚数）に達しているか否かを判定する（Ｓ２４１）。
【０１００】
Ｓ２４１の判定で、カウントされた現金の合計枚数が指定枚数に達していると判定された場合（“Ｙｅｓ”の場合）に、制御部１０は、金種別カウンタ１５ａを参照して、枚数の不足している指定金種（指定枚数に達していない指定金種）があるか否かを判定する（Ｓ２４２）。
【０１０１】
一方、Ｓ２４１の判定で、カウントされた現金の合計枚数が指定枚数に達していないと判定された場合（“Ｎｏ”の場合）に、処理はＳ２０５に戻る。その結果、現金処理装置１は、Ｓ２０５以降の処理を繰り返す。なお、入金口４１，５１にセットされた現金がなくなると、Ｓ２０５で“Ｎｏ”と判定され、さらに、Ｓ２１０で“Ｙｅｓ”と判定される。その結果、現金処理装置１は、Ｓ１４０の入金処理を終了する。
【０１０２】
Ｓ２４２の判定で、枚数の不足している指定金種があると判定された場合（“Ｙｅｓ”の場合）に、制御部１０は、入金口４１，５１にセットされている現金があるか否かを判定する（Ｓ２４３）。
【０１０３】
Ｓ２４３の判定で、入金口４１，５１にセットされている現金があると判定された場合（“Ｙｅｓ”の場合）に、制御部１０は、搬送部４２，５２に、１枚の指定外金種の現金を金庫４６，５６（又は、一時集積部４４，５４）からリジェクト部４７，５７へ搬送させる（Ｓ２４４）。この後、処理はＳ２１５に戻る。その結果、現金処理装置１は、Ｓ２１５以降の処理を繰り返す。
【０１０４】
一方、Ｓ２４２の判定で、枚数の不足している指定金種がないと判定された場合（“Ｎｏ”の場合）、又は、Ｓ２４３の判定で、入金口４１，５１にセットされている現金がないと判定された場合（“Ｎｏ”の場合）に、制御部１０は、全ユニットに対して、入金処理の停止指示を出力する（Ｓ２４６）。これにより、Ｓ１４０の入金処理が終了する。
【０１０５】
この現金処理装置１は、パターン３の入金処理を行う場合に、以下の条件（ａ）が満たされたとき、又は、以下の条件（ｂ）及び条件（ｃ）の双方が満たされたときに、入金処理を終了する。
条件（ａ）：紙幣部４０の入金口４１及び硬貨部５０の入金口５１の双方にセットされた現金がなくなる。
条件（ｂ）：金種別カウンタ１５ａによってカウントされているすべての指定金種の現金の枚数が指定枚数に達する。
条件（ｃ）：合計カウンタ１５ｂによってカウントされている現金の合計枚数が指定枚数に達する。
【０１０６】
すなわち、この現金処理装置１は、パターン３の入金処理を行う場合に、入金口４１及び入金口５１の双方にセットされた現金がなくなった時点、又は、金種別カウンタ１５ａによってカウントされているすべての指定金種の現金の枚数が指定枚数に達し、かつ、合計カウンタ１５ｂによってカウントされている現金の合計枚数が指定枚数に達した時点で、入金処理を終了する。そのため、現金処理装置１は、すべての現金を装置内に一旦取り込む必要がなく、必要最小限の枚数のみを取り込めばよい。したがって、現金処理装置１は、従来の現金処理装置よりも無駄な処理を低減することができる。
【０１０７】
しかも、この現金処理装置１は、パターン３の入金処理を行う場合に、カウントされた現金の合計枚数が指定枚数に達するまで、指定外金種の現金を入金用現金として処理する。そのため、現金処理装置１は、ある指定金種の現金が指定枚数に満たない場合であっても、指定外金種の現金で枚数を補うことができる。
【０１０８】
なお、現金処理装置１は、入金したくない金種の枚数を「０」に指定することによって、その金種の現金の入金を防止することができる。
また、現金処理装置１は、Ｓ１３０（図４参照）の入力チェックにより、すべての指定金種の現金の枚数の合計（すべての金種別枚数の合計）が必ず合計枚数以下となるように、指定することができる。
【０１０９】
以上の通り、本実施形態１に係る現金処理装置１によれば、枚数指定による入金処理を行うことができる。
【０１１０】
［実施形態２］
本実施形態２は、実施形態１と比較すると、図５Ｃに示す動作の代わりに、図６に示す動作を行う点で相違し、その他（現金処理装置１の構成、並びに、図４、図５Ａ、及び、図５Ｂに示す動作）の点で、実施形態１と同様になっている。
【０１１１】
以下、図６を参照して、本実施形態２の動作につき説明する。なお、図６は、実施形態２に係る現金処理装置のパターン３の入金処理時の動作を示すフローチャートである。
【０１１２】
図６に示すように、本実施形態２は、実施形態１のパターン３の入金処理時の動作（図５Ｃ参照）と比較すると、Ｓ２４２、Ｓ２４３、及び、Ｓ２４４の処理が削除されている。したがって、本実施形態２では、現金処理装置１は、Ｓ２４１の判定で、カウントされた現金の合計枚数が指定枚数に達していると判定された場合（“Ｙｅｓ”の場合）に、Ｓ２４６の処理を行う。すなわち、本実施形態２では、この場合に、制御部１０が、全ユニットに対して、入金処理の停止指示を出力する。
【０１１３】
実施形態１では、パターン３の入金処理を行う場合に、現金処理装置１は、カウントされたすべての指定金種の現金の枚数がオペレータによって指定枚数として入力された各金種別枚数に達するまで、入金処理を行う。したがって、現金処理装置１は、カウントされた現金の合計枚数がオペレータによって指定枚数として入力された合計枚数に達したときであっても、入金処理を停止しないことがある。
【０１１４】
これに対して、本実施形態２では、パターン３の入金処理を行う場合に、現金処理装置１は、カウントされたすべての指定金種の現金の枚数がオペレータによって指定枚数として入力された各金種別枚数に達しないときであっても、カウントされた現金の合計枚数がオペレータによって指定枚数として入力された合計枚数に達したときに、入金処理を停止する。
【０１１５】
そのため、本実施形態２は、パターン３の入金処理を行う場合に、実施形態１よりもさらに無駄な処理を行う頻度を低減することができる。
【０１１６】
以上の通り、本実施形態２によれば、実施形態１と同様に、枚数指定による入金処理を行うことができる。
しかも、パターン３の入金処理を行う場合に、実施形態１は、カウントされたすべての指定金種の現金の枚数がオペレータによって指定枚数として入力された各金種別枚数に達するまで入金処理を行うため、処理枚数が合計枚数を超過することがある。これに対して、本実施形態２によれば、カウントされた現金の合計枚数がオペレータによって指定枚数として入力された合計枚数に達した時点で入金処理を停止するため、処理枚数が合計枚数を超過するのを回避することができる。
【０１１７】
本発明は、前記した実施形態に限定されることなく、本発明の要旨を逸脱しない範囲で種々の変更や変形を行うことができる。
【０１１８】
例えば、実施形態では、現金処理装置１は、紙幣部４０及び硬貨部５０の双方を有する構成となっている。しかしながら、現金処理装置１は、紙幣部４０及び硬貨部５０のいずれか一方のみを有する構成にすることができる。
【０１１９】
また、実施形態では、現金処理装置１は、窓口端末装置として構成されている。しかしながら、現金処理装置１は、入金機能を有する装置であればよく、窓口端末装置に限らず、例えば、自動取引装置（ＡＴＭ）等として構成することができる。なお、現金処理装置１がＡＴＭとして構成されている場合は、顧客が、現金処理装置１のオペレータとなり、現金処理装置１を操作することになる。
【符号の説明】
【０１２０】
１    現金処理装置
１０    制御部
２０    表示部（ディスプレイ）
３０    入力部（キーボード、マウス、タッチパネル等）
４０    紙幣部
４１，５１    入金口
４２，５２    搬送部
４３，５３    鑑別部
４４，５４    一時集積部
４５，５５    出金口
４６，５６    金種別カセット（金庫）
４７，５７    リジェクト部
５０    硬貨部
【図１Ａ】
2011238051.tif 000003
【図１Ｂ】
2011238051.tif 000004
【図２】
2011238051.tif 000005
【図３Ａ】
2011238051.tif 000006
【図３Ｂ】
2011238051.tif 000007
【図３Ｃ】
2011238051.tif 000008
【図４】
2011238051.tif 000009
【図５Ａ】
2011238051.tif 000010
【図５Ｂ】
2011238051.tif 000011
【図５Ｃ】
2011238051.tif 000012
【図６】
2011238051.tif 000013
【図７】
2011238051.tif 000014